(57)【要約】【課題】光源装置の動作が不安定になるのを未然に回避する。【解決手段】光源装置１０は、発光管４０を有する高圧放電灯３２と、発光管４０内において発生した光を反射するリフレクタ３４と、リフレクタ３４に対して高圧放電灯３２を取り付けるホルダ３６と、ホルダ３６に設けられ、高圧放電灯３２の周辺温度を検知する温度センサ５６とを備え、温度センサ５６が検知した高圧放電灯３２の周辺温度が予め設定した基準温度よりも高くなったときに、表示装置６２，ブザー６４およびランプ６６が駆動される。したがって、使用者（視聴者等）は、温度異常が発生したことを容易に知ることができ、光源装置１０の動作を安定させるための措置をとることができる。【選択図】                図１
2004362865.tif 000002
【特許請求の範囲】
【請求項１】
発光管を有する高圧放電灯と、前記発光管内において発生した光を反射するリフレクタと、前記リフレクタに対して前記高圧放電灯を取り付けるホルダと、前記ホルダに設けられ、前記高圧放電灯の周辺温度を検知する温度センサとを備える、光源装置。
【請求項２】
前記温度センサが検知した温度が予め設定された基準温度よりも高いときに警報を発する警報発生手段をさらに備える、請求項１に記載の光源装置。
【発明の詳細な説明】
【０００１】
【発明の属する技術分野】
この発明は、プロジェクションテレビ等のような光学機器に適用される高圧放電灯を用いた光源装置であって、温度異常を検知する機能を有する光源装置に関する。
【０００２】
【従来の技術】
プロジェクションテレビ等のような光学機器の光源装置には、高圧放電灯が一般に用いられているが、高圧放電灯を用いた光源装置では、高圧放電灯の周辺温度が高くなり過ぎた場合に動作の安定性が損なわれるという問題がある。
【０００３】
そこで、従来では、図５に示すように、光学機器１の内部にファン２，ダクト３およびフィルタ３ａを設け、光源装置４を搭載した光学エンジン５を空冷することによって、高圧放電灯の周辺温度を所定温度以下に抑えるようにしていた。
【０００４】
【発明が解決しようとする課題】
上述の従来技術では、フィルタ３ａおよびダクト３等を通して冷却用の空気を光学エンジン５へ与え、または、ダクト３およびフィルタ３ａ等を通して光源装置４で加熱された空気を外部へ排出していたので、フィルタ３ａに埃等が溜まって冷却効率が低下するおそれがあった。
【０００５】
そして、冷却効率が低下すると、高圧放電灯の周辺温度を所定温度以下に抑えることができなくなるため、光源装置４の動作が不安定になり、ひいては光学機器１の動作が不安定になるという問題があった。たとえば、光学機器１がプロジェクションテレビの場合には、画像の明るさが変動して番組鑑賞等の妨げになるという問題があった。
【０００６】
それゆえに、この発明の主たる目的は、動作が不安定になるのを回避することのできる、光源装置を提供することである。
【０００７】
【課題を解決するための手段】
請求項１に記載した発明は、「発光管４０を有する高圧放電灯３２と、発光管４０内において発生した光を反射するリフレクタ３４と、リフレクタ３４に対して高圧放電灯３２を取り付けるホルダ３６と、ホルダ３６に設けられ、高圧放電灯３２の周辺温度を検知する温度センサ５６とを備える、光源装置１０」である。
【０００８】
この発明では、ホルダ３６に設けられた温度センサ５６によって高圧放電灯３２の周辺温度を検知できるので、この温度を基準温度と対比することによって温度異常を判定でき、光源装置１０の動作が不安定になるのを未然に回避する措置（フィルタ２４ａの掃除等）をとることができる。
【０００９】
請求項２に記載した発明は、請求項１に記載した光源装置１０において、「温度センサ５６が検知した温度が予め設定された基準温度よりも高いときに警報を発する警報発生手段５８〜６６をさらに備える」ことを特徴とする。
【００１０】
この発明では、警報発生手段５８〜６６が警報を発することによって、温度異常が発生したことを使用者（視聴者等）へ確実に知らせることができる。
【００１１】
【発明の実施の形態】
図１を参照して、本発明が適用された光源装置１０は、図２に示すように、光学機器１２を構成する光学エンジン１４に搭載して用いられるものである。
【００１２】
ここで、光源装置１０が適用される光学機器１２としては、プロジェクションテレビやプロジェクター等を例示できるが、図２に示した光学機器１２は、光学エンジン１４から投射された映像を反射鏡１６で反射させてスクリーン１８の背面から投影するようにしたプロジェクションテレビである。そして、この光学機器（プロジェクションテレビ）１２においては、ケーシング２０を構成する背面パネル２０ａに給気口２２が形成されており、ケーシング２０の内部にダクト２４，フィルタ２４ａおよびファン２６が設けられており、給気口２２から取り込まれた空気がフィルタ２４ａおよびダクト２４を通して光学エンジン１４へ与えられる。
【００１３】
光源装置１０（図１）は、光を投射する投光部２８と、温度異常を検知して警報を発する温度監視部３０とによって構成される。
【００１４】
投光部２８は、高圧放電灯３２，リフレクタ３４，ホルダ３６およびフロントカバー３８等を備える。
【００１５】
高圧放電灯３２は、球状の発光管４０とその両端からストレートに延びた円筒状の封止部４２とを有する封体容器４４を備える。そして、封体容器４４における各封止部４２の内部には、一端が発光管４０の内部空間へ突出した電極棒４６と、一端が外部へ突出したリード棒４８と、電極棒４６の他端とリード棒４８の他端とを電気的に接続するモリブデン箔５０とが配設され、各電極棒４６の一端には、一対のタングステン電極（以下、単に「電極」という。）５２を構成する陽極５２ａおよび陰極５２ｂが接続される。また、発光管４０の内部には、水銀，アルゴン等の希ガス、およびＩ（ヨウ素），Ｂｒ（臭素），Ｃｌ（塩素），Ｆ（弗素）等のうち少なくとも１つのハロゲン（金属ハロゲン化物またはハロゲンガス等）が封入される。
【００１６】
なお、図１に示した高圧放電灯３２は、ダブルエンド型で直流点灯式の超高圧水銀放電灯であるが、これに代えて、交流点灯式の超高圧水銀放電灯，シングルエンド型の超高圧水銀放電灯またはメタルハライドランプ等を用いるようにしてもよい。
【００１７】
リフレクタ３４は、高圧放電灯３２の発光管４０内において発生した光を所定方向へ反射させるためのものであり、リフレクタ３４の中央部にホルダ３６が固着される。ホルダ３６は、リフレクタ３４に対して高圧放電灯３２を取り付けるための筒状部材であり、ホルダ３６の内部に高圧放電灯３２の端部が挿入された状態で、ホルダ３６の内部に充填剤５４が充填される。
【００１８】
フロントカバー３８は、リフレクタ３４の反射面や高圧放電灯３２を保護するためにリフレクタ３４の開口を覆うものであり、ガラス等のような耐熱性の透明材料により形成される。そして、フロントカバー３８の外周部がリフレクタ３４の開口端部に接着される。
【００１９】
温度監視部３０（図１）は、温度センサ５６，温度異常判定回路５８，警報発生回路６０，表示装置６２，ブザー６４およびランプ６６等を備え、温度センサ５６を除いた構成要素５８〜６６が本発明における「警報発生手段」として機能する。
【００２０】
温度センサ５６は、高圧放電灯３２の周辺温度を検知するものであり、具体的には、アルメルクロメル線等からなる熱電対等が温度センサとして用いられる。
高圧放電灯３２の周辺温度を的確に検知するためには、温度センサ５６を高圧放電灯３２の近くに配置することが望ましい。そこで、この実施例における温度センサ５６は、ホルダ３６の内部において、高圧放電灯３２に近接して配置される。
【００２１】
温度異常判定回路５８は、高圧放電灯３２の周辺温度が高くなり過ぎたことを判定するものである。つまり、温度異常判定回路５８は、温度センサ５６によって検知された高圧放電灯３２の周辺温度と予め設定された基準温度とを比較し、周辺温度が基準温度よりも高い場合に「温度異常」と判定し、警報発生回路６０に対して異常信号を与える。
【００２２】
警報発生回路６０は、温度異常判定回路５８から与えられた異常信号に基づいて、「警報発生装置」としての表示装置６２，ブザー６４およびランプ６６を動作させるものである。つまり、温度異常判定回路５８から警報発生回路６０に異常信号が与えられると、警報発生回路６０は、表示装置６２に対して所定の警報文字を表示するように信号を与え、ブザー６４およびランプ６６に対して駆動電圧を与える。
【００２３】
なお、温度異常判定回路５８および警報発生回路６０は、光学機器１２（図２）を制御するための制御回路（図示省略）と共に一つの基板上に搭載してもよいし、制御回路とは別の基板に搭載してもよい。また、「警報発生装置」としては、表示装置６２，ブザー６４およびランプ６６の全てを用いる必要はなく、これらのうちのいずれか一つまたは二つを用いるようにしてもよい。
【００２４】
光学機器１２（図２）においては、光学エンジン１４に組み込まれたランプハウス６８の内部に光源装置１０の投光部２８が固定され、ケーシング２０を構成する前面パネル２０ｂに表示装置６２，ブザー６４およびランプ６６が固定される。また、光源装置１０の各回路５８および６０を搭載した基板がケーシング２０の内部の所定位置に固定される。
【００２５】
光学機器１２（図２）のスイッチをオンして光源装置１０の高圧放電灯３２を発光させると、光学エンジン１４から映像が投射され、この映像が反射鏡１６で反射されてスクリーン１８へ投影される。光学機器１２が稼動している際には、発光管４０内で発生した熱が高圧放電灯３２の周辺に蓄積され、高圧放電灯３２の周辺温度が高くなる。
【００２６】
そして、温度センサ５６が検知した周辺温度が予め設定した基準温度よりも高くなると、温度異常判定回路５８から警報発生回路６０へ異常信号が与えられ、警報発生回路６０が表示装置６２，ブザー６４およびランプ６６を駆動する。したがって、光学機器１２の使用者（視聴者等）は、光源装置１０の動作が不安定になることを未然に知ることができ、高圧放電灯３２およびその周辺を冷却する措置や、フィルタ２４ａに溜まった埃等を除去する措置をとることができる。
【００２７】
なお、上述の実施例では、ファン２６（図２）によって高圧放電灯３２の周辺温度の上昇を抑えるようにしているが、たとえば図３に示す光源装置７０のように、冷却機能を有するランプハウス７２等によって温度上昇を抑えるようにしてもよいし、ファン２６（図２）とランプハウス７２（図３）とを併用して温度上昇を抑えるようにしてもよい。
【００２８】
光源装置７０（図３）は、図１に示した光源装置１０に対して、流路７２ａを有するランプハウス７２と、ラジエータ７４と、流路７２ａとラジエータ７４とを連通するパイプ７６と、ラジエータ７４を冷却するファン７８とを付加的に設けたものであり、流路７２ａ，ラジエータ７４およびパイプ７６によって構成された循環路８０内にエチレングリコール等のような冷却液が循環される。また、ファン７８が、温度異常判定回路５８に接続され、温度異常判定回路５８から与えられる駆動電圧によって駆動される。
【００２９】
光学機器に組み込まれた光源装置７０において、高圧放電灯３２を発光させると、図４に示すように、高圧放電灯３２の周辺温度が経時的に上昇する。そして、温度センサ５６が検知した周辺温度が第１基準温度に達すると、ファン７８が駆動されることによって循環路８０内の冷却液が冷却され、周辺温度の上昇が抑えられる。そして、諸般の事情によって周辺温度が第２基準温度よりも高くなると、温度異常判定回路５８から警報発生回路６０へ異常信号が与えられ、この異常信号に基づいて警報発生回路６０が表示装置６２，ブザー６４およびランプ６６を駆動する。
【００３０】
この実施例によれば、温度異常が生じる前に高圧放電灯３２の周辺温度の上昇を抑えるようにしているので、温度異常の発生を可及的に防止できる。
【００３１】
また、空冷式のファン２６（図２）および液冷式のランプハウス７２（図３）のいずれにおいても、必要な時にだけ駆動することによって、通常時にサイレント動作を可能にすることができる。
【００３２】
【発明の効果】
請求項１に記載した発明によれば、ホルダに設けられた温度センサによって高圧放電灯の周辺温度を検知できるので、この温度を監視することによって温度異常を判定でき、光源装置の動作が不安定になるのを未然に回避できる。
【００３３】
請求項２に記載した発明によれば、警報を発することによって温度異常を使用者（視聴者等）に確実に知らせることができる。
【図面の簡単な説明】
【図１】光源装置を示すブロック図である。
【図２】光源装置が組み込まれた光学機器を示す断面図である。
【図３】他の光源装置を示すブロック図である。
【図４】図３に示した光源装置の動作を示すグラフである。
【図５】従来技術を示す断面図である。
【符号の説明】
１０，７０…  光源装置
１２…  光学機器
１４…  光学エンジン
２４…  ダクト
２４ａ…  フィルタ
２６…  ファン
２８…  投光部
３０…  温度監視部
３２…  高圧放電灯
３４…  リフレクタ
３６…  ホルダ
４０…  発光管
５６…  温度センサ
５８…  温度異常判定回路
６０…  警報発生回路
６２…  表示装置
６４…  ブザー
６６…  ランプ
６８，７２…  ランプハウス
７４…  ラジエータ
７８…  ファン
【図１】
2004362865.tif 000003
【図２】
2004362865.tif 000004
【図３】
2004362865.tif 000005
【図４】
2004362865.tif 000006
【図５】
2004362865.tif 000007